(57)【要約】【課題】回路基板と板金との導通を安定させた回路基板のグランド接触構造、及びこれを用いた電子機器を提供する。【解決手段】回路基板３３と、回路基板３３を囲包するケース４ａと、回路基板３３に実装された接触用バネ端子３２と、ケース４ａの内側に一部を露出して一体成形された板金３１と、を備え、接触用バネ端子３２と板金３１の一部とを対向配置して接触させた回路基板３３のグランド接触構造である。【選択図】図８
2009212977.tif 000002
【特許請求の範囲】
【請求項１】
回路基板と、
前記回路基板を囲包するケースと、
前記回路基板に実装された接触用バネ端子と、
前記ケースの内側に一部を露出して一体成形された板金と、を備え、
前記接触用バネ端子と板金の一部とを対向配置して接触させたことを特徴とする回路基板のグランド接触構造。
【請求項２】
前記接触用バネ端子は、前記回路基板上に複数個設けられたことを特徴とする請求項１に記載の回路基板のグランド接触構造。
【請求項３】
前記ケースは、前記回路基板を係止固定する爪部を備えたことを特徴とする請求項１又は請求項２に記載の回路基板のグランド接触構造。
【請求項４】
前記ケースは、前記回路基板を係止固定する爪部を前記回路基板の幅方向両端に対応する位置に設けたことを特徴とする請求項１から請求項３のうちいずれか一項に記載の回路基板のグランド接触構造。
【請求項５】
前記爪部と前記接触用バネ端子とは、一直線上に配置されたことを特徴とする請求項３又は請求項４に記載の回路基板のグランド接触構造。
【請求項６】
回路基板と、前記回路基板を囲包するフロントケース及びリアケースとからなる筐体と、前記フロントケースの内側に一部を露出して一体成形された板金と、を備える電子機器において、
前記回路基板と前記板金とのグランド接触構造として、請求項１から請求項５のうちいずれか一項に記載の回路基板のグランド接触構造を用いたことを特徴とする電子機器。
【発明の詳細な説明】
【技術分野】
【０００１】
本発明は、回路基板と板金（シールド板金）との間の導通を接触抵抗の増大を招くことなく安定的に得ることのできる回路基板のグランド接触構造、電子機器に関するものである。
【背景技術】
【０００２】
軽量化・薄型化の要求される携帯電話機やＰＨＳ（Personal Handy-phone System）等の携帯端末では、一般に、筐体内の回路基板とシールド板金との間の接触導通をとる場合には、導電テープ（銅箔テープ）の様な厚みの少ない材料が使用されている。この導電テープを使用した場合には、テープの貼着力のみによって回路基板とシールド板金との間の接触導通がとられていた。
例えば、特許文献１の場合には、回路基板と板金フレームとの間に導電性接着テープの貼着、或いは、導電性粘着剤を塗布によってアース用接触部を形成することが開示されている。
【特許文献１】特開２００６−８４９６９号公報
【発明の開示】
【発明が解決しようとする課題】
【０００３】
しかし、従来の導電テープや導電性粘着剤を使用した回路基板とシールド板金とのグランド接触構造では、テープや粘着剤の貼着力のみで導通を得ていたために、両者の位置関係が少しずれただけでも接触状態が不安定になり、接触抵抗が増大する虞れが存在した。
また、導電テープ等を人手により貼り付けなければならず、組み立て作業が煩雑で作業工数が嵩むと云う問題が存在した。更に、正しく貼着されているか否かの確認が困難であった。
【０００４】
本発明は、上述した事情に鑑みてなされたもので、回路基板と板金との導通を安定させた回路基板のグランド接触構造、電子機器を提供することを目的とするものである。
【課題を解決するための手段】
【０００５】
本発明に係る回路基板のグランド接触構造、電子機器では、上記課題を解決するために以下の手段を採用した。
第１の発明に係る回路基板のグランド接触構造は、回路基板と、前記回路基板を囲包するケースと、前記回路基板に実装された接触用バネ端子と、前記ケースの内側に一部を露出して一体成形された板金と、を備え、前記接触用バネ端子と板金の一部とを対向配置して接触させたことを特徴とする。
【０００６】
このような構成を採用することにより、回路基板と板金との位置関係が多少ずれたとしても、バネの弾性力によって導通が確実となり、安定した低いグランド接触抵抗を確保することができる。
【０００７】
また、前記接触用バネ端子は、前記回路基板上に複数個設けられたことを特徴とする。
このような構成を採用することにより、狭い接触領域であっても回路基板との導通を確実にして、安定した低いグランド接触抵抗を確保することができる。
【０００８】
また、前記ケースは、前記回路基板を係止固定する爪部を備えたことを特徴とする。
このような構成を採用することにより、回路基板を確実にケースが保持すると共に接触用バネ端子の弾性反力を爪部で押さえることができる。
【０００９】
また、前記ケースは、前記回路基板を係止固定する爪部を前記回路基板の幅方向両端に対応する位置に設けたことを特徴とする。
このような構成を採用することにより、回路基板を確実に爪部で保持すると共に接触用バネ端子に板金を適切に押圧して安定した導通を得ることができる。
【００１０】
また、前記爪部と前記接触用バネ端子とは、一直線上に配置されたことを特徴とする。
このような構成を採用することにより、接触用バネ端子に板金をバランス良く押圧して安定した導通を得ることができる。
【００１１】
第２の発明は、回路基板と、前記回路基板を囲包するフロントケース及びリアケースとからなる筐体と、前記フロントケースの内側に一部を露出して一体成形された板金と、を備える電子機器において、前記回路基板と前記板金とのグランド接触構造として、第１の発明に係る回路基板のグランド接触構造を用いたことを特徴とする。
【００１２】
このような構成を採用することにより、回路基板と板金との導通を確実にして、安定した低いグランド接触抵抗を確保することができる。また、組み立て工程における作業性の向上を図ることができる。
【発明の効果】
【００１３】
本発明によれば以下の効果を得ることができる。
回路基板と板金との位置関係が多少ずれたとしても、バネの弾性によって導通を確実にして、安定した低いグランド接触抵抗を確保することができる。
また、組み立て工程における作業性の向上を図ることができる。
更に、板金と一体形成されたフロントケースで接触用バネ端子を受けるので、バネの反力によるケースの変形を防止することができる。
【発明を実施するための最良の形態】
【００１４】
以下、本発明に係る回路基板のグランド接触構造、電子機器の実施形態について図を参照して説明する。
なお、以下の説明においては、電子機器の一例として、ＰＨＳ端末等の携帯端末ついて説明する。
【００１５】
図１は、本発明の一実施の形態におけるＰＨＳ端末Ａの外観を示す斜視図である。
ＰＨＳ端末Ａは、表示側本体１と操作側本体２とがヒンジ構造３によって連結された折りたたみ形式のものである。
なお、以下の説明において、ＰＨＳ端末Ａがヒンジ構造３により折りたたまれ、表示側本体１と操作側本体２とが接触又は対向する面をそれぞれ表示側対向面１ａおよび操作側対向面２ａとして説明する場合がある。
【００１６】
表示側本体１は、表示側本体の外装を形成する表示側筐体４と、表示側筐体４の一方の面（表示側対向面１ａ）に設けられる表示部５と、表示部５と同一面上であって表示部５の上方に設けられる受話口６とを有している。
表示側筐体４は、表示側本体１の外装を形成するものであり、表示側対向面１ａ側を構成するフロントケース４ａおよび表示側対向面１ａに対して表示側本体１の裏面側を構成するリアケース４ｂから成る。
なお、フロントケース４ａとリアケース４ｂは、互いに表示側本体１の厚さ方向に結合可能な構成となっている。
【００１７】
表示部５は、例えば、液晶ディスプレイや有機ＥＬ（Electro Luminescence）等から形成されて所望の画像や文字等を表示するものであり、表示側筐体４の略中央部に嵌合されて設けられる。
受話口６は、表示部５の上方に配設され、表示側筐体４内に設けられた不図示のスピーカと外部とを連通する構成になっている。
【００１８】
操作側本体２は、操作側本体２の外装を形成する操作側筐体７と、操作側筐体７の一方の面（操作側対向面２ａ）の一面に設けられる操作部８と、操作部８と同一面上であって操作部の下方に設けられる送話口９とを有している。
【００１９】
操作側筐体７は、操作側本体２の外装を形成するものであり、操作側対向面２ａ側を構成するフロントケース７ａおよび操作側対向面２ａに対して操作側本体２の逆面側を構成するリアケース７ｂから成る。
なお、フロントケース７ａとリアケース７ｂは、互いに操作側本体２の厚さ方向に結合可能な構成となっている。操作部８は、電源キー、テンキーや各種機能キーから構成されており、ユーザーによる各種の操作指示を受け付ける構成となっている。送話口９は、操作部８の下方に配設され、操作側筐体７内に設けられた不図示のマイクと連通する構成になっている。
【００２０】
図２は、本発明の一実施の形態におけるＰＨＳ端末Ａの要部機能構成を示す機能ブロック図である。
ここで、ＰＨＳ端末Ａは、内部にアンテナ（アンテナ素子）２０が接続された通信部１０と、制御部１１とを有しており、通信部１０、操作部８および表示部５が制御部１１に接続される構成となっている。
【００２１】
通信部１０は、制御部１１の制御の下に、不図示の基地局と各種の制御信号やデータ信号をアンテナ２０を介して送受信すると共に、受信情報を制御部１１に出力する構成となっている。アンテナ２０は、操作側本体２の内部に設けられ、電波を送受信するアンテナ導体及び誘電体から成る内蔵型アンテナである。
【００２２】
制御部１１は、ＣＰＵ(Central Process Unit)、ＲＯＭ（Read Only Memory）及びＲＡＭ(Random Access Memory)から構成される内部メモリ並びに上記通信部１０、操作部８及び表示部５と信号の入出力をそれぞれ行うインターフェース回路等から構成されており、上記ＲＯＭに記憶された制御プログラムに基づいてＰＨＳ端末Ａの全体動作を制御する構成となっている。制御部１１は、例えば、操作部８から入力された信号を受け、表示部５に所定の画像を表示させたり、通信部１０にデータ送受信等の動作を開始させたりすることができる。
【００２３】
図３は、本発明のＰＨＳ端末Ａの表示側本体１を構成する部材を示す分解斜視図、図４は表示側本体１を構成する部材を逆方向から見た分解斜視図である。
なお、図３、４においては、説明の都合上、フロントケース４ａと板金３１とが別体として記載してあるが、実際は、図５、図６に示すように、フロントケース４ａと板金３１は一体的にインサート成形されている。
【００２４】
表示側本体１は、液晶ディスプレイや有機ＥＬ等から形成され、画像や文字等を表示する表示部５と、表示部５を収納する収納凹部３０を有すると共に、インサート成形された板金３１を有するフロントケース４ａと、前記板金３１に接触用バネ端子３２を介して接触して導通をとる回路基板３３と、前記フロントケース４ａと嵌合して回路基板３３等を囲包するリアケース４ｂとを有する構成となっている。
【００２５】
表示部５は、液晶パネル５１とこの液晶パネルを固定するフレーム５２等から構成されており、フレーム５２に取り付け用の係止爪５３が立設されている。表示部５は、フロントケース４ａの収納凹部３０に装着されると共に、係止爪５３がフロントケース４ａに形成された係止孔４１に係止される。
【００２６】
フロントケース４ａは、下端にヒンジ構造３を有しており、操作側本体２と回動可能に形成されると共に板金３１が一体的にインサート成形されている。
【００２７】
図５は、表示側本体を構成するフロントケース４ａを示す三面図である。図６は、フロントケース４ａを示す正面図側から見た斜視図である。
板金３１は、導電性を有する部材であって、電子物品から発生するノイズや電磁波等による電子物品相互の干渉を抑制している。また、板金３１は、フロントケース４ａと一体的に成形されることにより、薄型化された表示側本体１の機械的強度を向上させる構成となっている。
更に、板金３１は、表示部５の形状に合わせて収納凹部３０が形成されると共に、周囲が立ち上がって壁状部３１ｂとなっている。また、板金３１の長手方向の上下端の壁状部３１ｂは、水平に延設されて隣接配置される回路基板３３から離間する方向に後退した後退部３１ａを形成しており、表示側本体１を組み立てた際に、所定の間隔が回路基板３３の上下端との間に確保され、接触用バネ端子３２の包囲空間が形成される。
そして、フロントケース４ａは、回路基板３３を係止する爪部３４を回路基板３３の左右（幅方向）両端側に対応する位置に備えている。また、フロントケース４ａには、板金３１の後退部３１ａの一部（当接部３１ｃ）に回路基板３３に接触用バネ端子３２を当接させるために、接触用バネ端子３２の各々に対応した位置に突出孔４０が形成されている。
【００２８】
回路基板３３には、図示しないグラフィックコントローラ、光源ドライバー、液晶を駆動する半導体素子等が搭載されており、板金３１と対向する側に接触用バネ端子３２が一対実装されている。
接触用バネ端子３２の実装位置は、板金３１の後退部３１ａ（当接部３１ｃ）と対向した位置で、包囲空間外である。また、爪部３４と接触用バネ端子３２とは、一直線上に配置されている（図８参照）。
【００２９】
図７は、表示側本体１のフロントケース４ａに回路基板３３を取り付けた状態を示す説明図である。
回路基板３３は、フロントケース４ａから立設された爪部３４によって両側を係止固定されている。したがって、回路基板３３に接触用バネ端子３２の反発力が加わっても、回路基板３３を安定して保持できる。
また、フロントケース４ａの上端に形成された爪部３４と回路基板３３側に実装された接触用バネ端子３２は、一直線上に配置されているので、接触用バネ端子３２に対して回路基板３３がバランス良く押圧されて、良好な導通を得ることができる。
【００３０】
図８は、回路基板３３に実装された接触用バネ端子３２と板金３１との関係を示す図であって、図７のＡ−Ａ断面、Ｂ−Ｂ断面図である。
回路基板３３に平坦な基端部３２ａで実装された接触用バネ端子３２は、半円状に立ち上がった接触部３２ｃで板金３１の後退部３１ａ（当接部３１ｃ）が接触して導通をとることができる。
ここで、回路基板３３と板金３１の後退部３１ａ（当接部３１ｃ）とは、接触用バネ端子３２の厚みよりも狭い間隔で配置されるので、接触部３２ｃが適度な弾性力によって板金３１に押圧されて、回路基板３３と板金３１との位置関係がずれたとして、接触不良が発声する虞はない。
【００３１】
図９は、接触用バネ端子３２を示す拡大斜視図である。
接触用バネ端子３２は、回路基板３３に取り付けられる平坦な基端部３２ａとこの基端部３２ａからＵ字状に立ち上がった折り返し部３２ｂと、この折り返し部３２ｂから更に半円状に立ち上がった接触部３２ｃとから構成されている。また、接触用バネ端子３２は、金属等の弾性および導通性を有する部材から構成されている。
したがって、基板上に基端部３２ａを固着した場合、折り返し部３２ｂ及び接触部３２ｃが弾性変形して適度な接触圧を得ることができる。
【００３２】
次に、以上のように構成された回路基板のグランド接触構造において、表示側本体１は次のように組み立てられる。
先ず、フロントケース４ａの収納凹部３０に表示部５が表側から、フレーム５２に立設された係止爪５３によって装着固定される。
続いて、回路基板３３は、フロントケース４ａの内側に立設された爪部３４によって係止される。この際、フロントケース４ａの内側に一体的固着された板金３１と回路基板３３の間に絶縁シート５０が配設される。但し、回路基板３３の接触用バネ端子３２が実装される部位には、絶縁シート５０が配設されない。
【００３３】
また、板金３１のうち、回路基板３３の接触用バネ端子３２が実装される部位に対応する領域は、後退部３１ａとなっており、接触用バネ端子３２の折り返し部３２ｂ及び半円状の接触部３２ｃが適度に弾性変形して、導通を確保する構成となっている。
更に、板金３１が表示部５を包み込むように上下端に後退部３１ａを有しているので、表示側本体１の薄型化を図りつつ、接触用バネ端子３２のストロークを確保することができる。
また、組み立てに際して導電テープも不要であり、作業工数の削減を図ることができる。
【００３４】
そして、最後にリアケース４ｂをフロントケース４ａに取り付けて表示側本体１が完成する。
更に、表示側本体１と操作側本体２を、ヒンジ構造３を介して連結することで、ＰＨＳ端末Ａが完成する。
【００３５】
なお、以上の実施の形態では、接触用バネ端子３２が近接した位置に一対配設された例について説明したが、接触用バネ端子３２は、回路基板３３の離れた位置に配設してもよい。
【００３６】
また、電子機器の一例として、ＰＨＳ端末等の携帯端末ついて説明したが、これに限らない。回路基板と板金（シールド板金）との間の導通を必要とする電子機器であればよい。特に、ＰＤＡ（Personal Digital Assistants）、デジタルカメラ、デジタルビデオカメラ、ノート型パーソナルコンピュータ等の携行可能な携帯電子機器に対して適用することができる。
【図面の簡単な説明】
【００３７】
【図１】本発明の一実施の形態におけるＰＨＳ端末の外観を示す斜視図である。
【図２】ＰＨＳ端末の要部機能構成を示す機能ブロック図である。
【図３】表示側本体を構成する部材を示す分解斜視図である。
【図４】表示側本体を構成する部材を逆方向から見た分解斜視図である。
【図５】フロントケースを示す三面図である。
【図６】フロントケースを示す正面斜視図である。
【図７】フロントケースに回路基板を取り付けた状態を示す説明図である。
【図８】回路基板に実装された接触用バネ端子と板金との関係を示す図である。
【図９】接触用バネ端子を示す拡大斜視図である。
【符号の説明】
【００３８】
Ａ…ＰＨＳ端末（電子機器）
１…表示側本体
４…表示側筐体（筐体）
４ａ…フロントケース（ケース）
４ｂ…リアケース
５…表示部
３０…収納凹部
３１…板金
３１ａ…後退部
３１ｃ…当接部
３２…接触用バネ端子
３３…回路基板
３４…爪部
【図１】
2009212977.tif 000003
【図２】
2009212977.tif 000004
【図３】
2009212977.tif 000005
【図４】
2009212977.tif 000006
【図５】
2009212977.tif 000007
【図６】
2009212977.tif 000008
【図７】
2009212977.tif 000009
【図８】
2009212977.tif 000010
【図９】
2009212977.tif 000011